(57)【要約】【課題】照明器具において、セードを本体に安全かつ容易に取り付ける。【解決手段】嵌合部２１０は、弾性体により構成されている。嵌合部２１０は、ランプソケット１６０を挿入して嵌合し、嵌合したランプソケット１６０を係止する。ランプ３００は、嵌合部２１０に嵌合したランプソケット１６０に接続する。覆い部２３０は、嵌合部２１０と一体に成形されている。覆い部２３０は、ランプソケット１６０に接続したランプ３００を覆う。【選択図】図４
2009295367.tif 000002
【特許請求の範囲】
【請求項１】
弾性体により構成され、ランプソケットを挿入して嵌合し、嵌合したランプソケットを係止する嵌合部と、
上記嵌合部と一体に成形され、上記嵌合部に嵌合したランプソケットに接続するランプを覆う覆い部とを有することを特徴とするセード。
【請求項２】
上記嵌合部は、筒状であり、上記ランプソケットが挿入される側が広く、反対側へいくほど狭くなることを特徴とする請求項１に記載のセード。
【請求項３】
上記嵌合部は、筒状であり、内側の面に凸設された凸設部を有することを特徴とする請求項１または請求項２に記載のセード。
【請求項４】
上記凸設部は、上記ランプソケットが挿入される側が低く、反対側へいくほど高くなることを特徴とする請求項３に記載のセード。
【請求項５】
ランプを接続するランプソケットを備える器具本体と、請求項１乃至請求項４のいずれかに記載のセードとを有することを特徴とする照明器具。
【請求項６】
上記ランプソケットは、筒状であり、
上記嵌合部は、嵌合したランプソケットとの間に生じる摩擦力により上記ランプソケットを係止することを特徴とする請求項５に記載の照明器具。
【請求項７】
上記ランプソケットは、側面に凸設または凹設された係合部を有し、
上記嵌合部は、上記係合部と係合することにより上記ランプソケットを係止することを特徴とする請求項５または請求項６に記載の照明器具。
【請求項８】
上記ランプソケットは、上記係合部を複数有し、
上記嵌合部が係合する係合部を変えることにより、上記器具本体と上記セードとの位置関係が変わることを特徴とする請求項７に記載の照明器具。
【発明の詳細な説明】
【技術分野】
【０００１】
この発明は、照明器具に用いられるセード及びセードを有する照明器具に関する。
【背景技術】
【０００２】
照明器具において、セードは、ランプを覆い、ランプの光を和らげるものである。
照明器具の本体にセードを取り付ける方法には、固定用の別金具を用いる方法がある。
【特許文献１】特開平９−５５１０８号公報
【発明の開示】
【発明が解決しようとする課題】
【０００３】
天井面に設置し、あるいは天井面から吊り下げて使用する照明器具において、まず本体を設置し、その後、本体にセードを取り付ける場合がある。このような取り付け手順による場合、セード取り付けは、高所作業となる。
固定用の別金具を用いる方法によりセードを取り付ける場合、セード自体あるいは固定用の別金具を誤って落下させ、破損する可能性がある。
この発明は、例えば、上記のような課題を解決するためになされたものであり、安全かつ容易にセードを取り付けることができるようにすることを目的とする。
【課題を解決するための手段】
【０００４】
この発明にかかるセードは、弾性体により構成され、ランプソケットを挿入して嵌合し、嵌合したランプソケットを係止する嵌合部と、上記嵌合部と一体に成形され、上記嵌合部に嵌合したランプソケットに接続するランプを覆う覆い部とを有する。
【発明の効果】
【０００５】
この発明にかかるセードによれば、弾性体により構成された嵌合部にランプソケットを挿入して嵌合し、嵌合したランプソケットを係止するので、セードをランプソケットに安全かつ容易に取り付けることができる。また、この発明にかかるセードを用いることにより、セードを安全かつ容易に取り付けることができる照明器具を実現できる。
【発明を実施するための最良の形態】
【０００６】
実施の形態１．
実施の形態１について、図１〜図４を用いて説明する。
【０００７】
図１は、この実施の形態における照明器具８００を示す斜視図である。
照明器具８００は、天井（取付面）などに設置された引掛シーリングボディから吊り下げて使用するペンダント型の照明である。
照明器具８００は、本体１００、セード２００を有する。本体１００は、引掛シーリングキャップ１１０、シーリングカバー１２０、吊下コード１３０、飾りパイプ１４０、セード受１５０、ランプソケット１６０（図示せず）を有する。
引掛シーリングキャップ１１０は、引掛けシーリングボディに引掛けて、照明器具８００を吊り下げるとともに、引掛けシーリングボディを介して商用電源などの交流電源と電気接続し、照明器具８００の点灯に必要な電力を入力する。
シーリングカバー１２０は、引掛シーリングキャップ１１０をカバーする。
吊下コード１３０は、引掛シーリングキャップ１１０とランプソケット１６０との間を接続し、ランプソケット１６０を吊り下げるとともに、引掛シーリングキャップ１１０が入力した電力をランプソケット１６０に供給する。
飾りパイプ１４０は、吊下コード１３０の下部を覆う装飾用のカバーである。
セード受１５０は、セード２００の上に位置し、セード２００の上部を覆う。
【０００８】
図２は、この実施の形態における照明器具８００を示す側面図である。
図３は、この実施の形態における照明器具８００を示す底面図である。
なお、図２は、図３に示すＡ−Ａ断面を示す。
ランプソケット１６０は、ランプ３００を着脱自在に固定し、引掛シーリングキャップ１１０が入力した電力を、ランプ３００に供給して、ランプ３００を点灯する。
セード２００は、シリコンゴムなどの軟質弾性体で構成され、白濁し、光を透過する。セード２００は、ランプソケット１６０に固定されたランプ３００の側方を覆い、ランプ３００が発した光を和らげる。
セード２００は、嵌合部２１０、上盤部２２０、覆い部２３０を有する。嵌合部２１０、上盤部２２０、覆い部２３０は、一体に成形されている。
嵌合部２１０は、円筒状であり、円筒の内部にランプソケット１６０を挿入し、挿入したランプソケット１６０と嵌合して、嵌合したランプソケット１６０を係止する。
上盤部２２０は、略ドーナツ状の円盤型であり、内周側が嵌合部２１０と接続し、外周側が覆い部２３０と接続している。上盤部２２０は、四つの通気穴２２１を有する。
覆い部２３０は、やや外側に膨らんだ円錐台側面状であり、上底側が上盤部２２０と接続している。
【０００９】
図４は、この実施の形態における本体１００、セード２００、ランプ３００を示す分解正視図である。
ランプ３００は、第一電極部３１０、第二電極部３２０、発光部３３０を有する。ランプ３００は、例えば、白熱電球であり、発光部３３０内のフィラメントが第一電極部３１０と第二電極部３２０との間に印加される電圧により発光する。なお、ランプ３００は、第一電極部３１０及び第二電極部３２０がランプソケット１６０に接続できる形状であればよく、例えば、電球型蛍光灯であってもよい。
【００１０】
本体１００において、セード受１５０は、セード受上面部１５２、セード受側面部１５３、セード受つば部１５４を有する。セード受上面部１５２は、円盤状で、中央に吊下コード１３０を通す穴があり、その周囲に四つの通気穴１５１がある。セード受側面部１５３は、円錐台側面状であり、上底側がセード受上面部１５２に接続している。セード受つば部１５４は、ドーナツ状の円盤型であり、内周側がセード受側面部１５３の下底側に接続している。
【００１１】
ランプソケット１６０は、ランプ３００と係合するランプ係合部１６１を有する。ランプ係合部１６１は、ランプソケット１６０の下面側に設けられた非貫通穴である。ランプ係合側面部１６２は、ランプ係合部１６１の内側面であり、雌ネジ状で、ランプ３００の第二電極部３２０と係合してランプ３００を固定するとともに、第二電極部３２０と電気接続する。ランプ係合上面部１６３は、ランプ係合部１６１の底面であり、ランプ３００の第一電極部３１０と接触して、第一電極部３１０と電気接続する。
【００１２】
セード２００において、嵌合部２１０は、嵌合穴２１１、嵌合部係止面２１２、嵌合部外側面２１３を有する。
嵌合穴２１１（内部開口部）は、円筒状の嵌合部２１０の内側の中空部分であり、ランプソケット１６０を挿入する貫通穴である。嵌合穴２１１の内径φ２１は、ランプソケット１６０の外径φ１６よりもわずかに小さい。セード２００は、軟質弾性体で構成されているので、嵌合穴２１１にランプソケット１６０を押し込むと、嵌合穴２１１の内径が広がり、嵌合穴２１１にランプソケット１６０を挿入することができる。
嵌合部係止面２１２は、円筒状の嵌合部２１０の内側の側面であり、ランプソケット１６０と係合する面である。ランプソケット１６０を嵌合穴２１１に挿入すると、セード２００の弾性力により、嵌合部係止面２１２がランプソケット１６０の外側面に強く押し当てられ、摩擦力が生じて、ランプソケット１６０を保持（係止）する。
嵌合部外側面２１３は、円筒状の嵌合部２１０の外側の側面である。
【００１３】
上盤部２２０は、通気穴２２１、上盤部上面２２２、上盤部下面２２３、上盤内側接続部２２４、上盤外側接続部２２５を有する。
通気穴２２１は、上盤部２２０の中心から９０度ずつ離れた方向に、中心からほぼ等距離の位置に設けられた貫通穴である。通気穴２２１は、ランプ３００で発生した熱を、空気の対流により逃がすための穴である。通気穴２２１を通ってセード２００の外側に出た空気は、セード受１５０の通気穴１５１を通って照明器具８００の外部に放出される。これにより、放熱性が高くなる。
上盤部上面２２２は、ドーナツ盤状の上盤部２２０の上側の面である。
上盤部下面２２３は、ドーナツ盤状の上盤部２２０の下側の面である。
上盤内側接続部２２４は、ドーナツ盤状の上盤部２２０の内周に位置するリング状の部分であり、下方向に曲がって嵌合部２１０の上側と接続している。
上盤外側接続部２２５は、ドーナツ盤上の上盤部２２０の外周に位置するリング状の部分であり、下方向に曲がって覆い部２３０の上側と接続している。
【００１４】
覆い部２３０は、覆い部外面２３２、覆い部内面２３３を有する。
覆い部外面２３２は、円錐台状の覆い部２３０の外側の面である。
覆い部内面２３３は、円錐台状の覆い部２３０の内側の面である。
【００１５】
次に、この実施の形態における照明器具８００の設置手順について説明する。
【００１６】
まず、引掛シーリングキャップ１１０を天井などに設置された引掛けシーリングボディに引掛けて、本体１００を天井などから吊り下げる（本体取り付け工程）。
次に、空中にぶら下がったランプソケット１６０を、セード２００の嵌合部２１０に挿入し、嵌合部２１０とランプソケット１６０との間に発生する摩擦力により、セード２００を本体１００に固定する（セード取り付け工程）。
最後に、ランプ３００をランプソケット１６０のランプ係合部１６１に係合させて、固定する（ランプ取り付け工程）。
【００１７】
セード２００は、軟質弾性体で構成されているので、セード取り付け工程でセード２００を誤って落下させたとしても、セード２００が破損する危険がなく、安全に作業を行うことができる。
また、セード取り付け工程でネジなどの止め具を用いず、セード２００を本体１００に差し込むだけなので、セード２００の取り付けが容易であり、作業を効率的に行うことができるとともに、部品点数が少なくて済むので、省資源化・軽量化を図ることができる。
【００１８】
この実施の形態におけるセード２００は、弾性体により構成されランプソケット１６０を挿入して嵌合し嵌合したランプソケット１６０を係止する嵌合部２１０と、上記嵌合部２１０と一体に成形され上記嵌合部２１０に嵌合したランプソケット１６０に接続するランプ３００を覆う覆い部２３０とを有するので、本体１００への取り付けが安全かつ容易である。
【００１９】
この実施の形態における照明器具８００は、ランプ３００を接続するランプソケット１６０を備える器具本体（本体１００）と、上記セード２００とを有するので、セード２００を取り付けるための部品を削減でき、省資源化・軽量化を図ることができる。
【００２０】
この実施の形態における照明器具８００は、上記ランプソケット１６０が筒状であり、上記嵌合部２１０は、嵌合したランプソケット１６０との間に生じる摩擦力により上記ランプソケット１６０を係止するので、ネジなどの止め具が必要なく、照明器具８００の取り付け作業が安全かつ容易である。
【００２１】
以上のように、この実施の形態における照明器具８００は、セード２００取付用の部品が必要なく、部品点数を少なくすることができる。また、セード２００取付の際に別金具で挟み込むなどの作業をしなくてよいので、取り付けの際に誤ってセード２００を落下させて破損することを防止できる。また、締め込み作業も必要ないので、締め込み力が強すぎてセード２００を破損させることを防止できる。これにより、照明器具８００の組み立て性が向上し、組み立て上の破損が防止できる。
【００２２】
なお、セード２００を構成する軟質弾性体としては、シリコンゴムのほか、天然ゴムやその他の合成ゴムなどを使用してもよい。すなわち、セード２００を構成する軟質弾性体は、柔軟性と弾力とを備えた材料であればよい。更に、セード２００を構成する軟質弾性体は、紫外線や熱による硬化などの劣化をしにくい性質を有していることが好ましい。その点に鑑みるに、シリコンゴムは、セード２００の材料として最も適した材料の一つである。
【００２３】
実施の形態２．
実施の形態２について、図５を用いて説明する。
なお、実施の形態１で説明した照明器具８００と共通する部分については、同一の符号を付し、説明を省略する。
【００２４】
図５は、この実施の形態におけるセード２００を示す側面図である。
セード２００は、嵌合部２１０の形状が実施の形態１と異なる。
【００２５】
嵌合部２１０は、嵌合部係止面２１２及び嵌合部外側面２１３がともに傾斜していて、下にいくほど細くなる円錐台側面状である。
嵌合穴２１１の上端における内径φ２２は、嵌合穴２１１の下端における内径φ２３よりも大きい。ランプソケット１６０の外径φ１６は、嵌合穴２１１上端の内径φ２２と同程度であり、嵌合穴２１１下端の内径φ２３よりも大きい。
嵌合穴２１１の上端は、嵌合穴２１１にランプソケット１６０を挿入する際、ランプソケット１６０が挿入される側である。嵌合穴２１１の上端の内径φ２２が、ランプソケット１６０の外径φ１６と同程度なので、嵌合穴２１１にランプソケット１６０を挿入しやすい。
嵌合穴２１１の下端は、嵌合穴２１１にランプソケット１６０を挿入する際、ランプソケット１６０が挿入される側の反対側である。嵌合穴２１１の下端の内径φ２３が、ランプソケット１６０の外径φ１６よりも小さいので、セード２００の弾性力により、嵌合穴２１１に挿入されたランプソケット１６０の外面に、嵌合部係止面２１２が強く押し当てられ、ランプソケット１６０と嵌合部係止面２１２との間に摩擦力が発生して、ランプソケット１６０を係止する。
嵌合穴２１１の内径は、上端から下端に向かって、徐々に狭くなっていくので、ランプソケット１６０を嵌合穴２１１に挿入する際、嵌合穴２１１を少しずつ押し広げていくことになる。このため、嵌合穴２１１の下端の内径φ２３が、実施の形態１で説明した嵌合穴２１１の内径φ２１より小さくても、ランプソケット１６０を容易に嵌合穴２１１に挿入することができる。嵌合穴２１１の内径が小さいほうが、締め付けが強まり、摩擦力が強くなって、強力にランプソケット１６０を係止することができるので、セード２００からランプソケット１６０が抜けにくくなる。
【００２６】
この実施の形態における嵌合部２１０は、筒状であり、上記ランプソケット１６０が挿入される側（上側）が広く、反対側（下側）へいくほど狭くなるので、ランプソケット１６０を嵌合穴２１１に挿入しやすく、ランプソケット１６０が嵌合穴２１１から抜けにくい。これにより、セード２００を本体１００に取り付けやすく、セード２００が本体１００から外れにくくなる。
【００２７】
実施の形態３．
実施の形態３について、図６を用いて説明する。
なお、実施の形態１で説明した照明器具８００と共通する部分については、同一の符号を付し、説明を省略する。
【００２８】
図６は、この実施の形態におけるセード２００を示す側面図である。
セード２００は、嵌合部係止面２１２に、凸設部２１４が設けられている点が実施の形態１と異なる。
【００２９】
凸設部２１４（抜け防止用突起部）は、嵌合部係止面２１２から中心軸方向に向かって凸設されたリング状の部分である。凸設部２１４は、嵌合部２１０の一部であり、セード２００は、凸設部２１４を含む全体が、軟質弾性体により一体に成形されている。この例において、凸設部２１４は３つ設けられているが、凸設部２１４の数はいくつでもよい。
凸設部２１４の側面視断面形状は、略直角三角形である。凸設部２１４の上端における内径φ２５は、嵌合部係止面２１２の内径と等しく、ランプソケット１６０の外径φ１６と同程度である。凸設部２１４の下端における内径φ２４は、ランプソケット１６０の外径φ１６よりも小さい。
このように、凸設部２１４が嵌合部係止面２１２から凸設している高さが、上側で低く、下側へいくほど高くなるので、実施の形態２で説明した嵌合部２１０と同様、ランプソケット１６０を嵌合穴２１１に挿入しやすく、ランプソケット１６０が嵌合穴２１１から抜けにくくなる。
【００３０】
なお、凸設部２１４の断面形状は、略直角三角形に限らず、他の形状でもよい。凸設部２１４の最も高く凸設された部分の内径がランプソケット１６０の外径φ１６より小さければ、そのなかにランプソケット１６０を押し込むことで、凸設部２１４がランプソケット１６０の外面に強く押し当てられ、摩擦力により、ランプソケット１６０を係止できる。
【００３１】
この実施の形態における嵌合部２１０は、筒状であり、内側の面（嵌合部係止面２１２）に凸設された凸設部２１４を有するので、ランプソケット１６０が嵌合穴２１１から抜けにくい。これにより、セード２００が本体１００から外れにくくなる。
【００３２】
この実施の形態における凸設部２１４は、上記ランプソケット１６０が挿入される側（上側）が低く、反対側（下側）へいくほど高くなるので、ランプソケット１６０を嵌合穴２１１に挿入しやすく、ランプソケット１６０が嵌合穴２１１から抜けにくい。これにより、セード２００を本体１００に取り付けやすく、セード２００が本体１００から外れにくくなる。
【００３３】
実施の形態４．
実施の形態４について、図７を用いて説明する。
なお、実施の形態１で説明した照明器具８００と共通する部分については、同一の符号を付し、説明を省略する。
【００３４】
図７は、この実施の形態におけるセード２００を示す側面図である。
セード２００は、嵌合部係止面２１２に、凸設部２１４が設けられている点が実施の形態１と異なる。また、凸設部２１４の位置及び形状が実施の形態３と異なる。
【００３５】
凸設部２１４は、嵌合部係止面２１２の上端に設けられている。凸設部２１４の側面視断面形状は、略長方形である。凸設部２１４の内径φ２６は、ランプソケット１６０の外径φ１６よりも小さい。また、嵌合部係止面２１２の内径φ２７は、ランプソケット１６０の外径φ１６よりもわずかに小さい。
【００３６】
図８は、この実施の形態における照明器具８００を示す側面図である。
セード取り付け工程において、ランプソケット１６０をセード２００の嵌合部２１０に挿入する。そして、ランプソケット１６０の上端が凸設部２１４よりも下にくるまで、ランプソケット１６０を押し込む。
凸設部２１４は、軟質弾性体で構成されているので、ランプソケット１６０を押し込まれたことにより押し広げられるが、ランプソケット１６０が凸設部２１４よりも下まで達すると、弾力により元の形に戻る。元の形の戻った凸設部２１４の内径は、ランプソケット１６０の外径より小さいので、凸設部２１４がランプソケット１６０の上端に引っかかり、ランプソケット１６０が嵌合穴２１１から抜けるのを防ぐ。
【００３７】
また、嵌合部係止面２１２の内径φ２７が、ランプソケット１６０の外径φ１６よりもわずかに小さいので、実施の形態１で説明したように、嵌合部係止面２１２とランプソケット１６０との間に摩擦力が生じる。これにより、嵌合部係止面２１２による保持と、凸設部２１４による保持とが相まって、ランプソケット１６０が嵌合穴２１１から抜けるのを防ぐ効果が更に高まる。
なお、凸設部２１４による保持効果だけで十分な場合には、嵌合部係止面２１２の内径φ２７を、ランプソケット１６０の外径φ１６と同程度とし、嵌合部係止面２１２とランプソケット１６０の外面との間に摩擦力を生じさせない構成としてもよい。
【００３８】
この実施の形態における嵌合部２１０は、上記ランプソケット１６０と係合することにより、上記ランプソケット１６０を係止するので、ランプソケット１６０が嵌合穴２１１から抜けにくい。これにより、セード２００が本体１００から外れにくくなる。また、嵌合部２１０とランプソケット１６０との間の摩擦力を利用しなくてもよいので、応力による変形状態を持続する必要がなく、セード２００の劣化を防ぐことができるので、セード２００の寿命を長くすることができる。
【００３９】
実施の形態５．
実施の形態５について、図９及び図１０を用いて説明する。
なお、実施の形態１で説明した照明器具８００と共通する部分については、同一の符号を付し、説明を省略する。
【００４０】
図９は、この実施の形態における本体１００を示す側面図である。
本体１００は、ランプソケット１６０にセード係合部１６４が設けられている点が実施の形態１と異なる。
セード係合部１６４は、ランプソケット１６０の上端外面に凹設されたリング状の段差部分である。
【００４１】
図１０は、この実施の形態における照明器具８００を示す側面図である。
セード２００は、実施の形態４で説明したものと同じ形状である。
凸設部２１４の内径φ２６は、ランプソケット１６０の外径φ１６より小さく、セード係合部１６４の外径φ１７と同程度である。
【００４２】
セード取り付け工程において、ランプソケット１６０をセード２００の嵌合部２１０に挿入する。そして、セード係合部１６４が凸設部２１４と係合する位置にくるまで、ランプソケット１６０を押し込む。
凸設部２１４は、軟質弾性体で構成されているので、ランプソケット１６０を押し込まれたことにより押し広げられるが、凸設部２１４と係合する位置まで達すると、弾力により元の形に戻る。元の形に戻った凸設部２１４の内径は、ランプソケット１６０の外径より小さく、セード係合部１６４の外径と同程度なので、凸設部２１４がセード係合部１６４と係合して引っかかり、ランプソケット１６０が嵌合穴２１１から抜けるのを防ぐ。
【００４３】
なお、凸設部２１４は、嵌合部２１０の上端に位置する必要はなく、嵌合部２１０途中あるいは下端に位置してもよい。その場合、凸設部２１４の位置と対応する高さに、セード係合部１６４を設けることにより、凸設部２１４とセード係合部１６４とが係合し、ランプソケット１６０が嵌合穴２１１から抜けるのを防ぐことができる。
また、セード係合部１６４をランプソケット１６０に凹設するのではなく、ランプソケット１６０から凸設してもよい。その場合、凸設部２１４に代えて、セード係合部１６４と対応するよう、嵌合部２１０に凹設部を設けることにより、凹設部とセード係合部１６４とが係合し、ランプソケット１６０が嵌合穴２１１から抜けるのを防ぐことができる。
【００４４】
この実施の形態におけるランプソケット１６０は、側面に凸設または凹設された係合部（セード係合部１６４）を有し、上記嵌合部２１０は、上記係合部（セード係合部１６４）と係合することにより上記ランプソケット１６０を係止するので、ランプソケット１６０が嵌合穴２１１から抜けにくい。これにより、セード２００が本体１００から外れにくくなる。また、セード取り付け工程において、ランプソケット１６０を嵌合部２１０に挿入する際、係合部（セード係合部１６４）が嵌合部２１０とちょうど係合する位置まで押し込めばよいので、セード係合部１６４が位置決めの役割を果たし、本体１００に対してセード２００を正しい位置に取り付けることができる。
【００４５】
実施の形態６．
実施の形態６について、図１１〜図１４を用いて説明する。
なお、実施の形態１で説明した照明器具８００と共通する部分については、同一の符号を付し、説明を省略する。
【００４６】
図１１は、この実施の形態における本体１００を示す側面図である。
ランプソケット１６０は、ランプソケット１６０に取付位置目印１６６が設けられている点が実施の形態１と異なる。
取付位置目印１６６は、ランプソケット１６０の外面に設けられたリング状の目印である。取付位置目印１６６は、ランプソケット１６０の外面に印刷等により設けられた模様であってもよいし、ランプソケット１６０の外面に刻印等により設けられた凹凸であってもよい。
【００４７】
図１２は、この実施の形態におけるセード２００を示す側面図である。
セード２００は、上盤部２２０の上側に目隠し部２４０が設けられている点が、実施の形態１と異なる。
目隠し部２４０は、上盤部２２０の上方向に、覆い部２３０から連続して延びた略円錐台側面状の部分である。セード２００は、目隠し部２４０を含む全体が、軟質弾性体により一体に成形されている。
【００４８】
図１３は、この実施の形態における照明器具８００を示す側面図である。
セード取り付け工程において、実施の形態１と同様にして、本体１００にセード２００を取り付ける。
目隠し部２４０がセード受１５０を覆い、下から見えなくなるので、美観に優れる。
【００４９】
図１４は、この実施の形態にける照明器具８００を示す側面図である。
ランプ３５０は、口金の形状は通常の電球と同じであり、ランプソケット１６０に取り付け可能であるが、発光部３６０の形状が異なり、通常の電球よりも大きい。
このため、セード取り付け工程において、ランプソケット１６０を嵌合部２１０に挿入する際、取付位置目印１６６が上盤部２２０の上盤部上面２２２とほぼ同じ高さになるまで押し込む。
これにより、セード２００を、本体１００に対して、通常よりも下の位置に取り付けることができ、通常の電球よりも大きいランプ３５０を照明器具８００に取り付けた場合であっても、セード２００がランプ３５０を覆い、ランプ３５０が発した光を和らげることができる。
なお、ランプソケット１６０は、円筒状であるから、ランプソケット１６０を押し込んだ位置が異なっても、嵌合部２１０がランプソケット１６０を係止する力は変わらない。
また、セード受１５０と上盤部２２０との間に隙間ができるが、目隠し部２４０がセード受１５０を覆うので、美観を損ねない。
【００５０】
なお、取付位置目印１６６は、取付位置の目安であるから、利用者が取付位置目印１６６を無視して、好みの位置までセード２００にランプソケット１６０を押し込んでもよい。また、ランプ取り付け工程のあとで、セード２００の位置を調整することもできる。
【００５１】
このように、ランプの大きさなどに基づいて、ランプソケット１６０を嵌合部２１０にどこまで押し込むかを変えることにより、複数種類のランプに対して、一つのセード２００で対応することができる。
照明器具８００の生産者にとっては、一種類のセード２００を製造すれば、複数種類のランプに対応できる照明器具８００を生産できるので、製造コストを削減でき、在庫リスクも少なくて済む。
また、消費者にとっては、部屋の模様替えなどにより、照明器具８００に取り付けるランプを変えようと思ったときであっても、セード２００を買い換える必要がなく、省資源化を図ることができる。
【００５２】
この実施の形態におけるセード２００は、上記嵌合部２１０に対して、上記ランプソケット１６０が挿入される側に位置し、上記器具本体（本体１００）の少なくとも一部を覆う目隠し部２４０を有するので、セード２００と本体１００との位置関係を調整するため、嵌合部２１０にランプソケット１６０を途中までしか挿入しない場合であっても、美観を損ねることがない。
【００５３】
この実施の形態におけるランプソケット１６０は、嵌合部２１０に挿入する位置を示す取付位置目印１６６を有するので、嵌合部２１０にどこまでランプソケット１６０を挿入したらよいかを利用者に教えることができ、照明器具８００の取り付け作業を容易にすることができる。
【００５４】
実施の形態７．
実施の形態７について、図１５〜図１８を用いて説明する。
なお、実施の形態１で説明した照明器具８００と共通する部分については、同一の符号を付し、説明を省略する。
【００５５】
図１５は、この実施の形態における本体１００を示す側面図である。
ランプソケット１６０は、２つのセード係合部１６４，１６５を有する。
セード係合部１６４は、実施の形態５と同様、ランプソケット１６０の上端外面に凹設されたリング状の段差部分である。
セード係合部１６５は、ランプソケット１６０の上下方向中央やや上寄り外面に凹設されたリング状の溝である。
【００５６】
図１６は、この実施の形態におけるセード２００を示す側面図である。
セード２００は、実施の形態４と同様の凸設部２１４と、実施の形態６と同様の目隠し部２４０とを有する。これらの部分については、それぞれの実施の形態で説明したものと同様なので、説明を省略する。
【００５７】
図１７は、この実施の形態における照明器具８００を示す側面図である。
照明器具８００に通常の大きさのランプ３００を取り付ける場合、セード取り付け工程において、ランプソケット１６０の上端に位置するセード係合部１６４に、凸設部２１４が係合するまで、ランプソケット１６０を嵌合部２１０に押し込む。
【００５８】
図１８は、この実施の形態における照明器具８００を示す側面図である。
照明器具８００に通常より大きいランプ３５０を取り付ける場合、セード取り付け工程において、ランプソケット１６０の途中に位置するセード係合部１６５に、凸設部２１４が係合するまで、ランプソケット１６０を嵌合部２１０に押し込む。
【００５９】
このように、ランプソケット１６０に複数のセード係合部１６４，１６５を設け、ランプの大きさなどに基づいて選択したいずれか一つのセード係合部を、嵌合部２１０と係合させる。これにより、本体１００に対するセード２００の位置を変えることができるので、複数種類のランプに対して、１つのセード２００で対応することができる。
【００６０】
この実施の形態におけるランプソケット１６０は、上記係合部（セード係合部１６４，１６５）を複数有し、上記嵌合部２１０が係合する係合部（セード係合部１６４，１６５）を変えることにより、上記器具本体（本体１００）と上記セード２００との位置関係が変わるので、一つのセード２００で、複数種類のランプに対応することができる。これにより、省資源化を図ることができる。
【図面の簡単な説明】
【００６１】
【図１】実施の形態１における照明器具８００を示す斜視図。
【図２】実施の形態１における照明器具８００を示す側面図。
【図３】実施の形態１における照明器具８００を示す底面図。
【図４】実施の形態１における本体１００、セード２００、ランプ３００を示す分解正視図。
【図５】実施の形態２におけるセード２００を示す側面図。
【図６】実施の形態３におけるセード２００を示す側面図。
【図７】実施の形態４におけるセード２００を示す側面図。
【図８】実施の形態４における照明器具８００を示す側面図。
【図９】実施の形態５における本体１００を示す側面図。
【図１０】実施の形態５における照明器具８００を示す側面図。
【図１１】実施の形態６における本体１００を示す側面図。
【図１２】実施の形態６におけるセード２００を示す側面図。
【図１３】実施の形態６における照明器具８００を示す側面図。
【図１４】実施の形態６にける照明器具８００を示す側面図。
【図１５】実施の形態７における本体１００を示す側面図。
【図１６】実施の形態７におけるセード２００を示す側面図。
【図１７】実施の形態７における照明器具８００を示す側面図。
【図１８】実施の形態７における照明器具８００を示す側面図。
【符号の説明】
【００６２】
１００  本体、１１０  引掛シーリングキャップ、１２０  シーリングカバー、１３０  吊下コード、１４０  飾りパイプ、１５０  セード受、１５１  通気穴、１５２  セード受上面部、１５３  セード受側面部、１５４  セード受つば部、１６０  ランプソケット、１６１  ランプ係合部、１６２  ランプ係合側面部、１６３  ランプ係合上面部、１６４，１６５  セード係合部、１６６  取付位置目印、２００  セード、２１０  嵌合部、２１１  嵌合穴、２１２  嵌合部係止面、２１３  嵌合部外側面、２１４  凸設部、２２０  上盤部、２２１  通気穴、２２２  上盤部上面、２２３  上盤部下面、２２４  上盤内側接続部、２２５  上盤外側接続部、２３０  覆い部、２３２  覆い部外面、２３３  覆い部内面、２４０  目隠し部、３００，３５０  ランプ、３１０  第一電極部、３２０  第二電極部、３３０，３６０  発光部、８００  照明器具。
【図１】
2009295367.tif 000003
【図２】
2009295367.tif 000004
【図３】
2009295367.tif 000005
【図４】
2009295367.tif 000006
【図５】
2009295367.tif 000007
【図６】
2009295367.tif 000008
【図７】
2009295367.tif 000009
【図８】
2009295367.tif 000010
【図９】
2009295367.tif 000011
【図１０】
2009295367.tif 000012
【図１１】
2009295367.tif 000013
【図１２】
2009295367.tif 000014
【図１３】
2009295367.tif 000015
【図１４】
2009295367.tif 000016
【図１５】
2009295367.tif 000017
【図１６】
2009295367.tif 000018
【図１７】
2009295367.tif 000019
【図１８】
2009295367.tif 000020